(57)【特許請求の範囲】
【請求項１】
フィルター材と該フィルター材を囲繞するフィルター枠とで構成された直方体のフィルターであって、
フィルターを嵌め込む枠の大きさが異なっている空気清浄機に嵌め込みうる交換用フィルターであり、
前記フィルター枠の各外面に軟質発泡体が貼付されており、該軟質発泡体の厚みは、空気流入側から空気流出側に向けて漸次減少しており、かつ、前記フィルター枠の四隅に対応する該軟質発泡体の四隅は直角となっていることを特徴とする空気清浄機に用いる交換用フィルター。
【請求項２】
軟質発泡体の厚みが４０〜５０度の角度で傾斜して漸次減少している請求項１記載の空気清浄機に用いる交換用フィルター。
【請求項３】
軟質発泡体がポリウレタン製である請求項１記載の空気清浄機に用いる交換用フィルター。
【請求項４】
軟質発泡体の漸次減少面に非通気性シートが貼付されている請求項１記載の空気清浄機に用いる交換用フィルター。
【請求項５】
フィルター材がプリーツ状に折り畳まれている請求項１記載の空気清浄機に用いる交換用フィルター。
【発明の詳細な説明】
【技術分野】
【０００１】
本発明は、空気清浄機に内蔵されているフィルターが塵埃による目詰まりやカビの発生等により寿命がきたときに、これを取り替える際に用いる交換用フィルターに関するものである。
【背景技術】
【０００２】
空気清浄機には、塵埃等を除去するためにフィルターが内蔵されている。このフィルターは、濾過材であるフィルター材１と、このフィルター材１を囲繞するフィルター枠２とよりなっており、概ね直方体の形状である（図１）。空気清浄機を使用し続けていると、フィルター材１に塵埃が捕捉され、最終的には塵埃による目詰まりが生じて、フィルター性能が低下する。また、長年使用していると、フィルター材１にカビが発生し、異臭がしたり使用者がアレルギーを起こしたりする。特に、加湿器を内蔵した空気清浄器の場合は、カビの発生が顕著である。
【０００３】
このため、フィルターは数年に一回程度交換する必要がある。この交換用フィルターは各社から提供されているが、各社共に自社の空気清浄機に適合する寸法となっている。この寸法には標準がなく、各社各様の寸法となっており、純正品しか使用できない。このため、一般消費者が交換用フィルターを販売店等で買い求めるときは、純正品を探さなければならず、一般消費者にとっては不便であった。また、空気清浄機の種類が多数であるので、販売店等は多数の純正品を取り揃えておかなければならず、不経済であるということもあった。また、販売店等に純正品の在庫がないため、別途注文しなければならないとい不便さもあった。
【０００４】
本発明者は、かかる不便や不経済を解消するために、各社の空気清浄機に適合する交換用フィルターを作成することを試みた。この結果、軟質発泡体を特定の形状で特定の箇所に設けるという工夫を施すことで、本発明に至った。なお、フィルター材１とフィルター枠２との間に空気漏れを防ぐために、発泡体をシール用として用いることは知られている（特許文献１）が、上記したような不便や不経済を解消するために発泡体を用いることは知られていない。
【０００５】
【特許文献１】特開２００４−１６９９９号公報（段落００１４）
【発明の概要】
【発明が解決しようとする課題】
【０００６】
本発明の課題は、フィルターの寸法が異なる各社の空気清浄機に適合する交換用フィルターを提供することにある。
【課題を解決するための手段】
【０００７】
上記課題を解決するために、本発明は以下の如き工夫を施したものである。すなわち、本発明は、フィルター材と該フィルター材を囲繞するフィルター枠とで構成された直方体のフィルターであって、フィルターを嵌め込む枠の大きさが異なっている空気清浄機に嵌め込みうる交換用フィルターであり、前記フィルター枠の各外面に軟質発泡体が貼付されており、該軟質発泡体の厚みは、空気流入側から空気流出側に向けて漸次減少しており、かつ、前記フィルター枠の四隅に対応する該軟質発泡体の四隅は直角となっていることを特徴とする空気清浄機に用いる交換用フィルターに関するものである。
【０００８】
本発明に係る交換用フィルターは、フィルター材１と、フィルター材１を囲繞するフィルター枠２と、フィルター枠２の外面に貼付された軟質発泡体３からなる。図２は、本発明の一例に係る交換用フィルターの正面図であり、交換用フィルターを空気流入側から見た図である。
【０００９】
フィルター材１の素材としては、高性能フィルター材を用いるのが好ましい。本発明に係る交換用フィルターは、各社の空気清浄機に適合するように、フィルター材１の寸法は小さくなっている。寸法が小さい分だけ圧力損失が増大するので、ＨＥＰＡフィルター材や準ＨＥＰＡフィルター材といった高圧力損失のフィルター材よりも、高性能フィルター材を用いるのが好ましいのである。ここで、ＨＥＰＡフィルター材とは、０．３μｍの塵埃を９９．９７％以上捕捉するものをいい、準ＨＥＰＡフィルター材とは、０．３μｍの塵埃を９５％程度捕捉するものをいい、高性能フィルター材とは、０．３μｍの塵埃を９０％程度捕捉するものをいう。また、フィルター材１は、プリーツ状に折り畳まれているのが好ましい。この方が、塵埃の捕捉面が広くなり、フィルターが長寿命化がするからである。
【００１０】
フィルター材１とフィルター枠２とで構成されたフィルターは、図１に示す如く概ね直方体となっている。そして、フィルター枠２の外面には軟質発泡体３（３ａ，３ｂ，３ｃ及び３ｄをまとめて３とする。）が貼付されている。軟質発泡体３は、フィルター枠２の四辺の各外面に貼付されている。軟質発泡体３は、フィルターの空気流入側から空気流出側に向けて、その厚みｔが漸次減少する形状となっている。ここで、軟質発泡体３の厚みｔとは、フィルターの空気流入側に露出する部位のことである。
【００１１】
図３は、図２に示した交換用フィルターの左側面図である。軟質発泡体３ａはフィルター枠２の上辺に貼付されたものであり、軟質発泡体３ｂはフィルター枠２の左辺に貼付されたものであり、軟質発泡体３ｃはフィルター枠２の下辺に貼付されたものである。図３では、軟質発泡体３ａ及び３ｃが、フィルターの空気流入側から空気流出側に向けて、その厚みｔが漸次減少する状態が現れている。なお、フィルター枠２の左辺に貼付された軟質発泡体３ｃ及びフィルター枠２の右辺に貼付されている軟質発泡体３ｄ（図示せず）も、同様にフィルターの空気流入側から空気流出側に向けて、その厚みｔが漸次減少している。漸次減少の程度としては、図３に示したように、４０〜５０度の傾斜であるのが一般的であり、特に４５度であるのが好ましい。
【００１２】
フィルター枠２の四隅に対応する軟質発泡体３の四隅は、概ね直角になっている。軟質発泡体３の四隅を直角とせずに、アール等を設けて切除すると、この部分から空気漏れが生じる恐れがあり、好ましくない。
【００１３】
軟質発泡体３としては、ポリウレタン製のものを採用するのが好ましく、特に連続気泡を持つ軟質ポリウレタンを採用するのが好ましい。軟質発泡体３は高伸縮性であり、特に連続気泡を持つ軟質発泡体はより高伸縮性だからである。連続気泡を持つ軟質発泡体の場合、軟質発泡体３の箇所から空気漏れが生じる場合もある。この場合には、軟質発泡体３の漸次減少面３ｇに非通気性シートを貼付しておくのが好ましい。非通気性シートとしては、紙、合成樹脂製フィルム又は低通気度の不織布等が用いられる。
【００１４】
本発明に係る交換用フィルターは、居室の空気清浄機に用いられる。また、換気機能付き空気清浄機や自動車に搭載される空気清浄機等にも用いうるものである。
【００１５】
本発明に係る交換用フィルターを各社の空気清浄機に嵌め込むには、空気清浄機の所定の箇所に設置されている枠４内に、交換用フィルターの空気流出側が空気清浄機の本体側となるようにして押し込めばよい。これにより、軟質発泡体３の厚みｔが枠４によって圧縮されて嵌め込まれる。この厚みｔの圧縮により、軟質発泡体３からの空気漏れが少なくなる。また、軟質発泡体３の四隅は、より圧縮度が高くなり、四隅からの空気漏れも少なくなる。
【発明の効果】
【００１６】
本発明に係る交換用フィルターは、フィルター枠の外面に特定の形状及び態様で軟質発泡体が貼付されている。この軟質発泡体は高伸縮性であり、高圧縮する。したがって、各社の空気清浄機であって、フィルターを嵌め込む枠の大きさが異なっていても、本発明に係る交換用フィルターは容易に概ね気密状態で嵌め込むことができる。よって、消費者にとっては純正品を探す必要がなく便利である。また、販売店にとっても、品揃えを少なくしうるので経済的である。
【実施例】
【００１７】
実施例１
プリーツ状に折り畳まれた高性能フィルター材を、高さ２３０ｍｍ、幅３４０ｍｍ、奥行き幅４５ｍｍのフィルター枠で囲繞したフィルターを準備した。そして、フィルター枠の外面に、厚みｔが４０ｍｍで約４５度の傾斜角で、その厚みｔが漸次減少する連続気泡を持つポリウレタン製発泡体（イノアック社製「モルトプレンＳＣ」）を貼付して、交換用フィルターを得た。この交換用フィルターは、以下の各社各様の空気清浄機に嵌め込むことができ、これらの空気清浄機の交換用フィルターとして用い得るものであった。
・シャープ社製の空気清浄機（ＦＵ−Ａ８０、ＦＵ−Ｅ８０、ＫＩ−ＥＸ５５、ＫＩ−ＤＸ７０、ＫＩ−ＢＸ７０、ＫＣ−Ｂ７０、ＫＩ−ＤＸ８５、ＫＩ−ＢＸ８５）
・パナソニック社製の空気清浄機（Ｆ−ＰＸＫ５５、Ｆ−ＶＸＨ５０、Ｆ−ＶＸＨ５０Ｂ２、Ｆ−ＰＸＪ５５、Ｆ−ＰＸＨ５５、Ｆ−ＶＸＧ５０、Ｆ−ＶＸ５０Ｅ８、Ｆ−ＶＸＧＢ５０、Ｆ−ＶＸ４０Ｈ２、Ｆ−ＶＸＫ５５、Ｆ−ＶＣ５５ＸＫ、Ｆ−ＶＸＪ５０、Ｆ−ＶＣ５０ＸＪ、Ｆ−ＶＸＫ４０、Ｆ−ＶＸ４０Ｈ３、Ｆ−ＶＥ４０ＸＪ）
・ダイキン社製の空気清浄機（ＭＣＫ５５ＲＹ、ＭＣＫ４０Ｒ、ＡＣＫ５５Ｎ−Ｐ、ＴＣＫ５５Ｐ−Ｗ、ＡＣＫ５５Ｎ−Ｗ、ＡＣＫ５５Ｐ−Ｗ、ＭＣＫ４０Ｎ−Ｗ、ＭＣＫ４０Ｐ−Ｗ、ＭＣＫ５５Ｎ−Ｐ、ＭＣＫ−５５Ｐ）
【００１８】
実施例２
高さ２２５ｍｍ、幅４３０ｍｍ、奥行き幅３５ｍｍのフィルター枠を用いた他は、実施例１と同一の方法で交換用フィルターを得た。この交換用フィルターは、以下の各社各様の空気清浄機に嵌め込むことができ、これらの空気清浄機の交換用フィルターとして用い得るものであった。
・シャープ社製の空気清浄機（ＫＩ−ＥＸ１００、ＫＩ−ＥＸ７５、ＫＣ−Ｄ７０、ＦＵ−Ｄ５１）
・パナソニック社製の空気清浄機（Ｆ−ＶＸＫ９０、Ｆ−ＶＸＫ７０、Ｆ−ＶＣ７０ＸＫ、Ｆ−ＶＸＪ９０、Ｆ−ＶＸＪ７０、Ｆ−ＶＣ７０ＸＪ）
【００１９】
実施例３
高さ２１０ｍｍ、幅３６０ｍｍ、奥行き幅３５ｍｍのフィルター枠を用いた他は、実施例１と同一の方法で交換用フィルターを得た。この交換用フィルターは、以下の各社各様の空気清浄機に嵌め込むことができ、これらの空気清浄機の交換用フィルターとして用い得るものであった。
・シャープ社製の空気清浄機（ＦＵ−Ｄ３０、ＦＵ−Ｅ３０、ＫＣ−Ｄ４０、ＫＣ−Ｅ４０、ＫＣ−Ｄ５０、ＫＣ−Ｅ５０、ＫＩ−ＤＸ５０、ＫＩ−ＢＸ−５０、ＫＣ−Ｂ５０）
・パナソニック社製の空気清浄機（Ｆ−ＶＸＪ３５、Ｆ−ＶＸＨ３５、Ｆ−ＶＸＨ３５Ｂ２、Ｆ−ＶＸＧ３５、Ｆ−ＰＸＨ３５、Ｆ−ＰＤＨ３５、Ｆ−ＰＸＧ３５、Ｆ−ＰＤＧ３５、Ｆ−ＶＸＧＢ３５、Ｆ−ＶＸＦ３５、Ｆ−ＰＸＦ３５、Ｆ−ＰＤＦ３５、Ｆ−ＰＤ３５Ｙ１）
・ダイキン社製の空気清浄機（ＭＣＫ７０Ｐ、ＭＣＺ７０Ｐ、ＡＣＺ７０Ｐ、ＡＣＫ７０Ｍ）
【００２０】
使用例１
パナソニック社製の交換用フィルター純正品（Ｆ−ＺＸＪＰ３５）を準備した。このフィルター枠の外面に実施例１と同一の方法でポリウレタン製発泡体を貼付して、交換用フィルターを得た。そして、この交換用フィルターを、シャープ社製の空気清浄機（ＦＵ−Ｄ５１）に嵌め込んだ。室内にてＦＵ−Ｄ５１を強運転し、０．３μｍの室内塵の捕捉割合をリオン社製の粒子計測器（ＨＨＰＣ−６）で測定したところ、８６％の集塵効率であった。
【００２１】
比較使用例１
パナソニック社製の交換用フィルター純正品（Ｆ−ＺＸＪＰ３５）を用いうるのは、パナソニック社製の空気清浄機（Ｆ−ＶＸＪ３５）である。Ｆ−ＶＸＪ３５にＦ−ＺＸＪＰ３５を嵌め込んで、使用例１と同一の条件で集塵効率を測定したところ、８６％の集塵効率であった。
【００２２】
比較使用例２
シャープ社製の空気清浄機（ＦＵ−Ｄ５１）に用いうる交換用フィルター純正品は、シャープ社製のＦＺ−Ａ５１ＨＦである。ＦＵ−Ｄ５１にＦＺ−Ａ５１ＨＦを嵌め込んで、使用例１と同一の条件で集塵効率を測定したところ、９３％の集塵効率であった。
【００２３】
以上の実施例１〜３の結果から明らかなように、実施例１〜３に係る交換用フィルターは、各社各様の空気清浄機に適合するものである。また、使用例１、比較使用例１及び比較使用例３の結果から明らかなように、室内塵の集塵効率も純正品と比較して遜色のないものであった。
【図面の簡単な説明】
【００２４】
【図１】フィルター材とフィルター枠とで構成されたフィルターの斜視図である。
【図２】本発明の一例に係る交換用フィルターの正面図である。
【図３】図２に示した交換用フィルターの左側面図である。
【図４】図２に示した交換用フィルターを空気清浄機の所定箇所に嵌め込んだときの模式的正面図である。
【符号の説明】
【００２５】
１    フィルター材
２    フィルター枠
３    軟質発泡体
３ａ  フィルター枠の上辺に貼付された軟質発泡体
３ｂ  フィルター枠の左辺に貼付された軟質発泡体
３ｃ  フィルター枠の下辺に貼付された軟質発泡体
３ｄ  フィルター枠の右辺に貼付された軟質発泡体
４    空気清浄機に設置されたフィルターを嵌め込むための枠
【図１】
0006456707.tif 000002
【図２】
0006456707.tif 000003
【図３】
0006456707.tif 000004
【図４】
0006456707.tif 000005